【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
複数のコンタクトを保持する樹脂製のハウジングと、
前記ハウジングに設けられるネジ取付ブロックと、を備え、
前記ネジ取付ブロックを貫通する固定ネジにより、取付け対象にネジ止めされる電気コネクタであって、
前記ネジ取付ブロックは、
軸方向の一方の端部と他方の端部を備え、
前記一方の端部から前記他方の端部に向けて外径が連続的に拡大する第一円錐台部と、
前記他方の端部から前記一方の端部に向けて外径が連続的に拡大する第二円錐台部と、を備えることを特徴とする電気コネクタ。
【請求項２】
前記第一円錐台部と前記第二円錐台部は、
前記ネジ取付ブロックの高さ方向の中央部で接続される、
請求項１に記載の電気コネクタ。
【請求項３】
前記第一円錐台部及び前記第二円錐台部は、前記第一円錐台部と前記第二円錐台部との境界部分に設けられ、外径が前記軸方向に等しい等径部を介して接続される、
請求項１又は請求項２に記載の電気コネクタ。
【請求項４】
前記第一円錐台部の前記中央部に向けた最大径をＲ１とし、
前記第二円錐台部の前記中央部に向けた最大径をＲ２（ただし、Ｒ１＜Ｒ２）とすると、
前記等径部は、
外径がＲ２であって、
前記第二円錐台部とは外径がＲ２の所で連なり、
前記第一円錐台部とは、段差を介して外径がＲ１と連なる、
請求項３に記載の電気コネクタ。
【請求項５】
請求項１〜請求項４のいずれか一項に記載の電気コネクタと、
前記電気コネクタを保持する、前記取付け対象としてのホルダと、を備え、
前記ホルダは、
前記電気コネクタの前記ネジ取付ブロックが収容される円筒状の収容室を有する収容塔を備え、
前記収容塔に収容される前記ネジ取付ブロックを貫通する前記固定ネジにより、
前記電気コネクタが前記ホルダにネジ止めされる、
ことを特徴とする電気コネクタ組立体。
【手続補正２】
【補正対象書類名】明細書
【補正対象項目名】０００７
【補正方法】変更
【補正の内容】
【０００７】
本発明のネジ取付ブロックにおいて、第一円錐台部及び第二円錐台部は、第一円錐台部と第二円錐台部との境界部分に設けられ、外径が軸方向に等しい等径部を介して接続されることが好ましい。
そうすることにより、より明確に輪郭を視認することができる。
【手続補正３】
【補正対象書類名】明細書
【補正対象項目名】０００８
【補正方法】変更
【補正の内容】
【０００８】
本発明の電気コネクタにおいて、第一円錐台部の中央部に向けた最大径をＲ１とし、第二円錐台部の中央部に向けた最大径をＲ２（ただし、Ｒ１＜Ｒ２）とすると、等径部は、外径がＲ２であって、第二円錐台部とは外径がＲ２の所で連なり、第一円錐台部とは、段差を介して外径がＲ１と連なる、ことが好ましい。
このように、段差があることにより、輪郭を視認しやすくなる。
【手続補正４】
【補正対象書類名】明細書
【補正対象項目名】０００９
【補正方法】変更
【補正の内容】
【０００９】
本発明は、以上のいずれかの電気コネクタと、電気コネクタと電気的に接続される回路基板と、電気コネクタと回路基板の間に介在し、電気コネクタを保持するホルダとを備える電気コネクタ組立体を提供する。
この組立体におけるホルダは、電気コネクタのネジ取付ブロックが収容される円筒状の収容室を有する収容塔を備え、収容塔に収容されるネジ取付ブロック及び回路基板を貫通するネジにより、電気コネクタ、ホルダ及び回路基板がネジ止めされる。
【手続補正５】
【補正対象書類名】明細書
【補正対象項目名】００１１
【補正方法】変更
【補正の内容】
【００１１】
【図１】本発明の実施形態に係る電気コネクタ組立体を示す斜視図である。
【図２】図１の電気コネクタ組立体をネジ止めする様子を示す斜視図であり、（ａ）    は平面側から視た図、（ｂ）は底面側から視た図である。
【図３】本実施形態に係る電気コネクタを示し、（ａ）は平面図、（ｂ）は正面図、    （ｃ）は底面図である。
【図４】本実施形態に係るネジ取付ブロックを示し、（ａ）は平面図、（ｂ）は縦断    面、（ｃ）は底面図である。
【図５】本実施形態に係るハウジングを射出成形する際のネジ取付ブロック周りの金型の配置を示す図である。
【図６】本実施形態に係るホルダの平面図である。
【図７】本実施形態に係るネジ取付けブロックとホルダの収容塔の関係を示す縦断面図である。
【手続補正６】
【補正対象書類名】明細書
【補正対象項目名】００１９
【補正方法】変更
【補正の内容】
【００１９】
［ホルダ３０］
次に、ホルダ３０は、図１及び図６に示すように、電気コネクタ１０のハウジング１１を支持する連結片３１と、連結片３１の幅方向ｘの両側に設けられる一対の収容塔３３，３３と、を備える。ホルダ３０は、例えばアルミニウム合金などの金属材料から作製されているが、ハウジング１１と同様に樹脂から作製することもできる。
【手続補正７】
【補正対象書類名】明細書
【補正対象項目名】００２０
【補正方法】変更
【補正の内容】
【００２０】
連結片３１は、本実施形態においては、下方から電気コネクタ１０に接触して支持するとともに、一対の収容塔３３，３３を保持する役割をなす。
収容塔３３は、図１に示すように、ホルダ３０に電気コネクタ１０が保持されると、ハウジング１１のネジ取付ブロック２０を収容する部位である。収容塔３３は、図６に示すように、連結片３１から立設する塔本体３４と、塔本体３４の内側に設けられる収容室３５と、収容室３５に臨み、塔本体３４の内側に形成される案内面３６と、収容室３５の底部に設けられる支持台３７と、を備える。なお、ここでいう内側（外側）とは幅方向ｘを基準にしている。
【手続補正８】
【補正対象書類名】明細書
【補正対象項目名】００２１
【補正方法】変更
【補正の内容】
【００２１】
塔本体３４は、図１に示すように、連結片３１に対して垂直に立ち上がっており、ネジ取付ブロック２０と同程度の高さ方向ｚの寸法を有しており、ネジ取付ブロック２０は塔本体３４の内部にすっぽりと収容される。
収容室３５は、外側が塔本体３４の案内面３６により区画され、内側は開放されている。案内面３６は、高さ方向ｚに沿う中心軸を有する円弧面をなしており、その中の収容室３５は半円柱状の空間からなる。
案内面３６は、曲率半径が等径部２４の外径（Ｒ２）より微小量（例えば１ｍｍ）だけ大きく構成されている。案内面３６は、電気コネクタ１０をホルダ３０で保持する作業において、ネジ取付ブロック２０が収容室３５に収容される際に、ネジ取付ブロック２０の案内面２１が摺動することで電気コネクタ１０を案内する。
【手続補正９】
【補正対象書類名】明細書
【補正対象項目名】００２７
【補正方法】変更
【補正の内容】
【００２７】
［第３の効果］
また、中央部２０Ｃに最大径の部分を設けているので、ネジ取付ブロック２０の径方向の肉厚を最大限に確保することができる。
例えば、図７（ｂ）及び図７（ｃ）に示すように、一方の端部２０Ａから他方の端部２０Ｂに向けて径を単調に拡大させることもでき、そうすれば、最大径の部分を位置決めの基準にすることはできる。ただし、この場合には、図７（ｂ）に示すように、端部２０Ａにおける肉厚を必要な厚さだけ確保するとすれば、端部２０Ｂにおける肉厚が厚くなりすぎて、収容室３５に収容できなくなる。なお、肉厚は、径方向の寸法である。逆に、図７（ｃ）に示すように、端部２０Ｂにおける肉厚を必要な厚さだけ確保するとすれば、端部２０Ａにおける肉厚が薄くなりすぎて、固定ネジ１００の締め付けに対抗する強度を得られない場合も出てくる。なお、傾斜角度を同じにすることを前提とする。
以上に対して、中央部２０Ｃに最大径の部分を設ければ、端部２０Ａ，端部２０Ｂにおける肉厚を必要な厚さだけ確保しつつ、中央部２０Ｃにおける肉厚を厚くできるので、収容室３５への収容を確保しつつ、最大限の強度を確保できる。
なお、図７において、破線は収容室３５を表している。
【手続補正１０】
【補正対象書類名】明細書
【補正対象項目名】００３２
【補正方法】変更
【補正の内容】
【００３２】
１     電気コネクタ組立体
１０   電気コネクタ
１１   ハウジング
１２   保持壁
１３   保持孔
１４   嵌合凹部
１５   引出凹部
１６   側壁
２０   ネジ取付ブロック
２０Ａ 端部
２０Ｂ 端部
２０Ｃ 中央部
２１  案内面
２２  第一円錐台部
２３  第二円錐台部
２４  等径部
２５  段差
２８  挿通孔
３０  ホルダ
３１  連結片
３３  収容塔
３４  塔本体
３５  収容室
３６  案内面
３７  支持台
３８  支持面
３９  ネジ穴
１００   固定ネジ
２００   金型
２０１   上型
２０２   下型
２０３   型割面
２０５   成形面
２０６   成形面
２０７   成形面